(57)【要約】 【課題】  一旦設置すると、金庫自体を持ち去ることができず、金庫であることをカムフラージュしてインテリアの一つとして室内にも設置することも、さらには防災、防犯に対して極めて安全性の高い防災・防犯用の金庫を提供する。【解決手段】  凹凸のないフラットな６面からなる直方体状の外箱（６）と、この外箱の内部に移動可能に設けられる内箱（１０）とから構成する。外箱（６）の底壁（２）を床面（Ｆ）に固定する。内箱を外箱の所定位置まで駆動する駆動装置（２０）をロックするドライブロック機構（４０）と、内箱の移動をロックするロック機構（２５）と、ワイヤレスロック機構（３７）と、内箱の開閉扉（１２）をロックするキーロック機構（４１）とを設ける。ドライブロック機構を外箱に装着し、ワイヤレスロック機構から電波を照射すると、ロック機構が解除され、内箱は所定位置まで駆動され、キーロック機構が外部から操作できるようになる。【選択図】  図１
2005113447.tif 000002
【特許請求の範囲】
【請求項１】
所定位置に固定されるようになっている外箱と、該外箱内に移動可能に設けられ、その一方の開口部に開閉扉が設けられている内箱とからなり、前記内箱が前記外箱内の所定位置に収納されると、前記外箱の外周面と前記開閉扉の外面は、実質的にフラットな面を呈するようになる金庫であって、
前記金庫は、該金庫の外箱に脱着されるドライブロック機構を備えていると共に、前記外箱の内部には、前記内箱の移動をロックするロック機構と、前記内箱を所定位置へ駆動する駆動機構と、前記開閉扉をロックするキーロック機構とを備え、
前記ドライブロック機構を前記外箱に装着し、次いで外部から電波を前記外箱内に向けて照射すると、前記ドライブロック機構から供給される流体圧力により前記ロック機構のロックが解除されて、前記駆動機構により前記内箱が所定位置へ駆動され、それによって前記キーロック機構が外部から操作されるようになる、ことを特徴とする防災・防犯用の金庫。
【請求項２】
請求項１に記載の金庫において、外箱と、内箱の少なくとも開閉扉は、耐火材料から構成されている防災・防犯用の金庫。
【請求項３】
請求項１または２に記載の金庫において、内箱の移動をロックするロック機構と、内箱を駆動する駆動機構が、流体圧で作動するピストンシリンダユニットまたは蛇腹を備えている、防災・防犯用の金庫。
【請求項４】
請求項１〜３のいずれかの項に記載の金庫において、内箱の移動をロックするロック機構と、内箱を駆動する駆動機構が、空気圧で作動するピストンシリンダユニットまたは蛇腹を備えている、防災・防犯用の金庫
【発明の詳細な説明】
【技術分野】
【０００１】
本発明は、外箱と、貨幣、証券等の貴重品が収納させる内箱とからなる防災・防犯用の金庫に関し、さらに詳しくは内箱が外箱の所定位置へ収納されると、外箱すなわち金庫が外部に突起物のないフラットな面、例えば平らな６面からなる立方体を呈するようになると共に、３重にロック機構が掛けられる防災・防犯用の金庫に関するものである。
【背景技術】
【０００２】
個人用の小型金庫から業務用の大型金庫まで、使用目的に応じた各種の金庫が従来から色々提案されている。このような提案されている小型金庫は、比較的軽量で自由に移動でき、通常は例えば押入等に収納されている。したがって、必要時には押入の戸を開くと、金庫の扉も開くことができる状態になり、家庭的にもまた小規模の業務用にも多用されている。
【０００３】
一方、大型金庫は、例えば銀行においてみられるように、据え置きタイプが多く、一般に耐火構造物の内部に設置されている。そして、耐火構造物の出入口は、耐火扉で閉鎖されるようになっている。したがって、耐火扉を開くと、内部に収納されている金庫の扉を開くことができる。
【０００４】
上記のように、小型金庫は、軽量で簡単に移動して保管場所を変更できる利点はあるが、軽量であるので、金庫そのものが盗難に遭う欠点がある。また、ダイヤル式あるいはキー式でもロック装置は金庫の外部から操作されるようになっているので、金庫が発見されると簡単にロックを外される危険性もある。一方、大型金庫は耐火構造物中に設けられているので、火災に対しても、さらには盗難に対して略万全といえる。しかしながら、建設コストが高く、家庭的あるいは小規模用に適しているとはいえない。また、建設コストが高いので、設置個所を簡単に変更できない不便さもある。さらには、大型で仰々しく、金庫が部屋を占有してしまう欠点もある。
【０００５】
【特許文献１】特開２００２−２０６３７３
【発明の開示】
【発明が解決しようとする課題】
【０００６】
そこで、本出願人は特許文献１により、盗難、火災等に対して安全で、しかも安価であると共に、必要時には簡単に利用できる、特に家庭用あるいは比較的小規模な業務用として好適な移動形の金庫を提供した。本出願人が提案した上記金庫は、室内を構成している壁の開口部を通って、該壁の外側の金庫収納位置と、壁の内側の金庫利用可能位置との間を移動可能に設けられ、少なくとも金庫利用可能位置へは駆動装置により駆動されるように構成されている。そして、駆動装置はピストンシリンダユニットから構成されている。このように、本出願人が提案している金庫は、通常は壁の外側の金庫収納位置に収納されているので、盗難、火災等に対して安全であるという優れた効果が得られ、実用上格別問題はない。
【０００７】
しかしながら、改良の余地は認められる。例えば、金庫が退避位置から室内の利用可能な位置へ簡単に駆動される恐れがあり、一旦利用可能な位置へ移動されると、金庫自体が持ち去られる危険性がある。また、利用可能な位置での開閉扉のロックに対しては必ずしも万全とはいえない。さらには、退避位置という格別の設置スペースを必要とする問題もある。また、室内の利用可能な位置へ駆動されると、一見して金庫であることが認識され、盗難、意匠効果等に対する配慮に欠けるきらいもある。
本発明は、上記したような従来の金庫の問題点あるいは欠点を解消した防災・防犯用の金庫を提供することを目的とし、具体的には金庫を一旦設置すると、移動させることができず、したがって金庫自体を持ち去ることができない防災・防犯用の金庫を提供することを目的としている。また、金庫であることをカムフラージュしてインテリアの一つとして室内にも設置することもできる防災・防犯用の金庫を提供することも目的としている。さらには、防災、防犯に対して極めて高い安全性が保証された防災・防犯用の金庫を提供することも目的としている。
【課題を解決するための手段】
【０００８】
本発明は、上記目的を達成するために、金庫は外箱と、この外箱の内部に移動可能に設けられる内箱とから構成される。外箱は、室内に設置するときの意匠効果を高めるために、筒状体、多角形、さらには球形でも実施できるが、望ましくは凹凸のないフラットな６面からなる直方体あるいは立方体として構成される。そして、外箱は、その底壁あるいは側壁が内側において設置場所例えば床面にボルト等により固定される。このように、底壁あるいは側壁の内側において固定することにより、外箱すなわち金庫の外観形状が損なわれることはない。また、金庫自体が軽量であっても持ち去られることはない。また、本発明は前記目的を達成するために、複数重のロック装置が採用される。すなわち、内箱を外箱の所定位置まで駆動する駆動装置をロックするドライブロック機構と、内箱の移動をロックするロック機構と、具体的には実施の形態の項で説明するワイヤレスロック機構と、内箱の開閉扉をロックするキーロック機構とが採用される。
【０００９】
かくして、請求項１に記載の発明は、前記発明の目的を達成するために、所定位置に固定されるようになっている外箱と、該外箱内に移動可能に設けられ、その一方の開口部に開閉扉が設けられている内箱とからなり、前記内箱が前記外箱内の所定位置に収納されると、前記外箱の外周面と前記開閉扉の外面は、実質的にフラットな面を呈するようになる金庫であって、前記金庫は、該金庫の外箱に脱着されるドライブロック機構を備えていると共に、前記外箱の内部には、前記内箱の移動をロックするロック機構と、前記内箱を所定位置へ駆動する駆動機構と、前記開閉扉をロックするキーロック機構とを備え、前記ドライブロック機構を前記外箱に装着し、次いで外部から電波を前記外箱内に向けて照射すると、前記ドライブロック機構から供給される流体圧力により前記ロック機構のロックが解除されて、前記駆動機構により前記内箱が所定位置へ駆動され、それによって前記キーロック機構が外部から操作されるように構成される。
請求項２に記載の発明は、請求項１に記載の金庫において、外箱と、内箱の少なくとも開閉扉は、耐火材料から構成され、請求項３に記載の発明は、請求項１または２に記載の金庫において、内箱の移動をロックするロック機構と、内箱を駆動する駆動機構が、流体圧で作動するピストンシリンダユニットまたは蛇腹を備えて、そして請求項４に記載の発明は、請求項１〜３のいずれかの項に記載の金庫において、内箱の移動をロックするロック機構と、内箱を駆動する駆動機構が、空気圧で作動するピストンシリンダユニットまたは蛇腹を備えるように構成される。
【発明の効果】
【００１０】
以上のように、本発明による金庫は、所定位置に固定されるようになっている外箱と、該外箱内に移動可能に設けられ、その一方の開口部に開閉扉が設けられている内箱とから構成されているので、開閉扉を開けて内箱内に貨幣、有価証券等の貴重品を収納・保管することができる。このとき、外箱は固定されるようになっているので、外箱すなわち金庫自体が軽量でも持ち去られるようなことはない。また、内箱が外箱内の所定位置に収納されると、前記外箱の外周面と前記開閉扉の外面は、実質的にフラットな面を呈するようになるので、室内の外観風景を損なうことなく、金庫であることをカムフラージュしてインテリアの一部として設置することができる効果も得られる。そして、金庫は、該金庫の外箱に脱着されるドライブロック機構を備えていると共に、前記外箱の内部には、前記内箱の移動をロックするロック機構と、前記内箱を所定位置へ駆動する駆動機構と、前記開閉扉をロックするキーロック機構とを備え、前記ドライブロック機構を前記外箱に装着し、次いで外部から電波を前記外箱内に向けて照射すると、前記ドライブロック機構から供給される流体圧力により前記ロック機構のロックが解除されて、前記駆動機構により前記内箱が所定位置へ駆動され、それによって前記キーロック機構が外部から操作されるようになっているので、すなわち幾重にもロック機能が働いているので、極めて安全であるという、本発明に特有の効果が得られる。さらには、本発明によると、災害時にも途絶えることのない流体圧をドライブロック機構から駆動装置例えばピストンシリンダユニットまたは蛇腹に供給するだけで確実に内箱を開けることできる位置へ駆動することができるという、効果も得られる。また、外箱と内箱の少なくとも開閉扉は、耐火材料から構成された発明によると、火災に対する効果が付加される。さらには、内箱の移動をロックするロック機構と、内箱を駆動する駆動機構が空気圧で作動する発明によると、駆動に使用した空気は大気に逃すことができ、駆動源の管理が容易になる効果が得られる。
【発明を実施するための最良の形態】
【００１１】
以下、添付図面により本発明の実施の形態を説明する。図１は、本発明の実施の形態に係わる防災・防犯用の金庫１を示す斜視図で、その（イ）は設置状態を、その（ロ）はドライブロック機構４０を装着した状態を、そしてその（ハ）はキーロック機構４１が外部から操作できる状態をそれぞれ示す斜視図で、図２は駆動装置部分を拡大して模式的に示す側面図であるが、これらの図に示されているように、特に図１の（イ）に示されているように、本実施の形態に係わる防災・防犯用の金庫１は、非作動状態あるいは貴重品保管状態では、外表面には凹凸のないフラットな６面からなる直方体を呈している。そして、図１の（ロ）に示されているように、ドライブロック機構４０を装着すると、内箱１０を駆動する駆動装置２０、３０が作動可能な状態になり、次いで送信器３７から電波を受信器３６に当てて照射すると、図１の（ハ）に示されているように、内箱１０の先端部が外箱６の開口部から所定量外部へ出て、キーロック機構４１が外部から操作できるようになる。以下、さらに詳しく説明する。
【００１２】
本実施の形態に係わる防災・防犯用の金庫１は、底壁２、側壁３、３および背壁４から前面が開口した直方体を呈する外箱６を備えている。そして、これらの壁２〜４は、本実施の形態では耐火材料から構成され、底壁２がその内部から室内Ｒを構成している床面Ｆに、図２に示されているように、ボルトＢ、Ｂ、…等により固定されている。したがって、外箱６が軽量でも一旦取り付けると移動させることはできない。また、外箱６の側壁３には、詳しくは後述するドライブロック機構４０が脱着自在に装着される接続口７が設けられている。さらには、必要に応じて外箱６の一部は電波が透過する材料で構成されている。
【００１３】
上記のように構成されている外箱６内に、内箱１０が開口部の方へ向かって移動可能に設けられている。この内箱１０は、外箱６と略同じ形状を呈し、その内部に貨幣、有価証券等の貴重品が収納されるようになっている。そして、その前方の開口部に、図１に示されているように、開閉扉１２が設けられている。この開閉扉１２は、図１に示されている実施の形態では蝶番１３により片開き的に開かれるようになっている。内箱１０の先端部の開閉扉１２の近傍には、すなわち図１の（イ）に示されているように、内箱１０が外箱６内に押し込まれているときは外箱６により隠れる位置に、図１の（ハ）に示されているように、所定量押し出されると外箱６の開口部よりも外側になる位置に、開閉扉１２をロックあるいは解除するキーロック機構としてのキー穴４１が設けられている。このように構成されている内箱１０の構成材料は、格別に限定されないが、開閉扉１２は耐火材料から構成されている。そして、内箱１０が外箱６内に押し込まれると、図１の（イ）、（ロ）に示されているように、内箱１０の開閉扉１２が外箱６の開口部を塞ぎ、金庫１全体が突起物のない直方体を呈するようになっている。
【００１４】
内箱１０の駆動装置２０、ロック機構２５等の実施の形態が模式的に図２に示されている。すなわち、外箱６の後方の内部に、内箱１０の駆動装置としての内箱駆動用のピストンシリンダユニット２０と、内箱１０を外箱６に対してロックするロック機構２５と、このロック機構２５のロック状態を解除する解除用のピストンシリンダユニッ３０とが設けられている。内箱駆動用のピストンシリンダユニット２０のピストンロッド２１の先端部は、内箱１０の後壁１５に固定され、そのピストンヘッド室２２にはガス管路２３が接続されている。ロック機構２５の具体的な構造は、図２には示されていないが、鍵あるいはラッチ機構から構成され、内箱１０が所定位置まで押し込まれると、バネの作用により鍵が掛かり、解除用のピストンシリンダユニッ３０のピストンロッド３１により押されると、その鍵が解かれるようになっている。また、解除用のピストンシリンダユニット３０のピストンヘッド室３２には、ガス管路３３が接続されている。これらのガス管路２３、３３は、方向切替弁３５が介装されている１本のガス供給管３４にまとめられ、そしてこのガス供給管３４は、外箱６の接続口７に連なっている。したがって、接続口７から圧縮ガスが内箱駆動用と解除用のピストンシリンダユニット２０、３０に供給されることになる。また、方向切替弁３５には受信器３６が付設され、図１の（ロ）に示されている送信器３７から電波が照射されると、この方向切替弁３５が切り替わるようになっている。
【００１５】
ドライブロック機構４０は、所定の圧力ガス望ましくは高圧空気が詰められているガスボンベ４０からなっている。そして、このガスボンベ４０を外箱６の接続口７に装着すると、その出口ポートが気密的にガス供給管３４に接続されるようになっている。
【００１６】
次に、上記実施の形態の作用について説明する。内箱１０を外箱６から出し、外箱６をその底壁２を利用して所定の床面ＦにボルトＢ、Ｂ、…により固定する。これにより、外箱６したがって金庫１は外部から見えない状態で床面Ｆに固定される。次いで、内箱１０を外箱６内に、図１の（ハ）に示されている状態になるま押し込む。キー穴４１に別途保管されているキーを差し込み、開閉扉１２を開け、内箱１０の内部に貨幣、有価証券等の貴重品を収納する。そして、押し込む。そうすると、内箱１０は、ロック機構２５により所定位置にロックされ、図１の（イ）に示されている状態になる。金庫１はフラットな面からなる直方体を呈し、金庫１であることがカムフラージュされた状態になる。今は、外箱６したがって金庫１は床面Ｆに固定され、金庫１を持ち去ることはできない。また、内箱１０は外箱６の所定位置にロックされ、そしてキー穴４１は外箱４１に隠れているので、内箱１０に収納されている貴重品は盗まれることはない。安全保管状態である。
【００１７】
内箱１０に収納されている貴重品を取り出すときは、適当な場所に別途保管されているドライブロック機構であるガンボンベ４０を外箱６の接続口７に装着する。そうすると、ガスボンベ４０のガス出口はガス供給管３４に気密的に接続される。そこで、別途保管されている送信器３７から電波を受信器３６に向けて発信する。ガスボンベ４０が装着され、電波が発信されているた状態が、図１の（ロ）に示されている。電波信号を受信すると、方向切替弁３５が切り替わり、圧縮空気が内箱駆動用と解除用のピストンシリンダユニット２０、３０に供給される。解除用のピストンシリンダユニット３０によりロック機構２５が解除されると、内箱１０は駆動可能になるので、次いで内箱１０が内箱駆動用のピストンシリンダユニット２０により所定位置すなわち図１の（ハ）に示されている位置まで駆動される。これにより、キー穴４１が外部から操作できる位置になる。別途保管されているキーにより開閉扉１２を開け、貴重品を取り出す。
【００１８】
本発明は、上記実施の形態に限定されることなく色々な形で実施できる。例えば、上記実施の形態では、外箱６は室内Ｒを構成している床面Ｆに固定されているが、外箱６の他の壁を使用して例えば室内Ｒを構成している側壁等に固定するように実施することもできる。また、空気に代えて他のガスでピストンシリンダユニット２０、３０を駆動するように実施できることは明らかである。ピストンシリンダユニット２０、３０に代えて蛇腹でも実施できる。さらには、ドライブロック機構４０は、それ自体にコンプレッサを備えることも、また別途用意される加圧ガス源をホースにより接続口７に接続するように実施することもできる。また、内箱１０の重量が大きいときは、ガイドレール等を設けて小さい力で内箱１０を駆動するように実施できることも明らかである。また、停電時等を考慮して、受信器が蓄電器により作動するように実施することもできる。
【図面の簡単な説明】
【００１９】
【図１】本発明の実施の形態に係わる防災・防犯用の金庫を示す斜視図で、その（イ）は設置状態を、その（ロ）はドライブロック機構を装着した状態を、そしてその（ハ）はキーロック機構が外部から操作できる状態をそれぞれ示す斜視図である。
【図２】本発明の実施の形態に係わる駆動装置部分を拡大して模式的に示す側面図である。
【符号の説明】
【００２０】
１    防災・防犯用の金庫        ２    底壁
３    側壁                      ６    外箱
７    接続口                  １０    内箱
１２    開閉扉          
２０    内箱駆動用のピストンシリンダユニット
３０    解除用のピストンシリンダユニット  
３５    方向切替弁              ４０    ドライブロック機構（ガスボンベ）
４１      キーロック機構（キー穴）
【図１】
2005113447.tif 000003
【図２】
2005113447.tif 000004
【手続補正書】
【提出日】平成15年10月8日(2003.10.8)
【手続補正１】
【補正対象書類名】図面
【補正対象項目名】全図
【補正方法】変更
【補正の内容】
【図１】
2005113447.tif 000005
【図２】
2005113447.tif 000006